【手続補正書】
【提出日】平成23年4月27日(2011.4.27)
【手続補正１】
【補正対象書類名】明細書
【補正対象項目名】００１０
【補正方法】変更
【補正の内容】
【００１０】
この発明に係る移動局は、上位プロトコル層との間で無線チャネルを介して基地局と送受信するデータの入出力を行う無線リンク制御部と、無線リンク制御部との間で、論理チャネルを介してデータの入出力を行うメディアアクセス制御部と、メディアアクセス制御部との間で、トランスポートチャネルを介してデータの入出力を行い、基地局との無線通信を制御する物理層制御部と、無線リンク制御部、メディアアクセス制御部、及び物理層制御部との間で制御データの入出力を行う無線リソース制御部を備え、メディアアクセス制御部は、基地局が上りリンク送信のスケジューリングに利用する報告情報をパケットデータ送信用チャネルに多重して基地局へ送信するものである。
【手続補正２】
【補正対象書類名】明細書
【補正対象項目名】００１２
【補正方法】変更
【補正の内容】
【００１２】
この発明に係る基地局は、上位プロトコル層との間で無線チャネルを介して移動局と送受信するデータの入出力を行う無線リンク制御部と、無線リンク制御部との間で、論理チャネルを介してデータの入出力を行うメディアアクセス制御部と、メディアアクセス制御部との間で、トランスポートチャネルを介してデータの入出力を行い、移動局との無線通信を制御する物理層制御部と、無線リンク制御部、メディアアクセス制御部、及び物理層制御部との間で制御データの入出力を行う無線リソース制御部を備え、メディアアクセス制御部は、移動局からパケットデータ送信用チャネルによって送信されたデータに多重されている、基地局が上りリンク送信のスケジューリングに利用する報告情報を用いて、無線リソース割り当てを行うものである。
【手続補正３】
【補正対象書類名】明細書
【補正対象項目名】００１４
【補正方法】変更
【補正の内容】
【００１４】
この発明に係る通信システムは、上位プロトコル層との間で無線チャネルを介して送受信するデータの入出力を行う無線リンク制御部と、無線リンク制御部との間で、論理チャネルを介してデータの入出力を行うメディアアクセス制御部と、メディアアクセス制御部との間で、トランスポートチャネルを介してデータの入出力を行い、無線通信の制御を行う物理層制御部と、無線リンク制御部、メディアアクセス制御部、及び物理層制御部との間で制御データの入出力を行う無線リソース制御部を有する移動局と基地局を備え、移動局は、基地局が上りリンク送信のスケジューリングに利用する報告情報をパケットデータ送信用チャネルに多重して基地局へ送信し、基地局は、移動局から受信した、基地局が上りリンク送信のスケジューリングに利用する報告情報を用いて無線リソース割り当てを行うものである。
【手続補正４】
【補正対象書類名】明細書
【補正対象項目名】００１６
【補正方法】変更
【補正の内容】
【００１６】
この発明に係る通信方法は、上位プロトコル層との間で、無線チャネルを介して基地局と送受信するデータの入出力を行う無線リンク制御部と、無線リンク制御部との間で、論理チャネルを介してデータの入出力を行うメディアアクセス制御部と、メディアアクセス制御部との間で、トランスポートチャネルを介してデータの入出力を行い、基地局との無線通信を制御する物理層制御部と、無線リンク制御部、メディアアクセス制御部、及び物理層制御部との間で制御データの入出力を行う無線リソース制御部を備えた移動局が、基地局が上りリンク送信のスケジューリングに利用する報告情報をパケットデータ送信用チャネルに多重して基地局へ送信し、基地局が移動局から受信した、基地局が上りリンク送信のスケジューリングに利用する報告情報を用いて無線リソース割り当てを行うものである。
【手続補正５】
【補正対象書類名】特許請求の範囲
【補正対象項目名】全文
【補正方法】変更
【補正の内容】
【特許請求の範囲】
【請求項１】
上位プロトコル層との間で、無線チャネルを介して基地局と送受信するデータの入出力を行う無線リンク制御部と、
上記無線リンク制御部との間で、論理チャネルを介して上記データの入出力を行うメディアアクセス制御部と、
上記メディアアクセス制御部との間で、トランスポートチャネルを介して上記データの入出力を行い、上記基地局との無線通信を制御する物理層制御部と、
上記無線リンク制御部、上記メディアアクセス制御部、及び上記物理層制御部との間で制御データの入出力を行う無線リソース制御部を備えた移動局において、
上記メディアアクセス制御部は、基地局が上りリンク送信のスケジューリングに利用する報告情報を、パケットデータ送信用チャネルに多重して基地局へ送信することを特徴とする移動局。
【請求項２】
上記基地局が上りリンク送信のスケジューリングに利用する報告情報は、パケットデータ送信用チャネルによって送信するデータフォーマットのヘッダ部に配置することを特徴とする請求項１記載の移動局。
【請求項３】
上記基地局が上りリンク送信のスケジューリングに利用する報告情報は、パケットデータ送信用チャネルによって送信するデータフォーマットの最後部に配置することを特徴とする請求項１記載の移動局。
【請求項４】
上記パケットデータ送信用チャネルによって送信するデータフォーマットは、上記基地局が上りリンク送信のスケジューリングに利用する報告情報の有無を示す情報領域を有することを特徴とする請求項１記載の移動局。
【請求項５】
上記パケットデータ送信用チャネルによって送信するデータフォーマットは、上記基地局が上りリンク送信のスケジューリングに利用する報告情報の種類を示す情報領域を有することを特徴とする請求項１記載の移動局。
【請求項６】
上記パケットデータ送信用チャネルによって送信するデータフォーマットは、パケットデータの有無を示す情報領域を有することを特徴とする請求項１記載の移動局。
【請求項７】
上記パケットデータ送信用チャネルによって送信するデータフォーマットは、上記基地局が上りリンク送信のスケジューリングに利用する報告情報を送信するための専用フォーマットであることを特徴とする請求項１記載の移動局。
【請求項８】
上記専用フォーマットは、上記パケットデータ送信用チャネルによって送信するデータフォーマットに付加して基地局へ送信されることを特徴とする請求項７記載の移動局。
【請求項９】
上記パケットデータ送信用チャネルの再送制御部を備え、
上記基地局が上りリンク送信のスケジューリングに利用する報告情報は、パケットデータ送信用チャネルによって送信するデータフォーマットに、再送制御サイクル別に多重されることを特徴とする請求項１記載の移動局。
【請求項１０】
上記基地局が上りリンク送信のスケジューリングに利用する報告情報のうち、一部を分離して基地局制御装置へ通知することを特徴とする請求項１記載の移動局。
【請求項１１】
上位プロトコル層から入力されたサービスデータを第１の論理チャネルを用いて出力し、制御データを第２の論理チャネルを用いて出力する無線リンク制御部と、
上記無線リンク制御部から出力された上記第１の論理チャネル及び上記第２の論理チャネルを用いて出力されたデータに基づいて、上記サービスデータ用のトランスポートチャネルデータを作成するとともに、基地局が上りリンク送信のスケジューリングを行うために参照する報告情報を上記トランスポートチャネルデータに多重するメディアアクセス制御部と、
上記データ量情報の組合せを示すインデックスが多重された上記トランスポートチャネルデータを上記サービスデータ用の物理チャネルデータに変換するとともに、無線周波数信号に変換して上記基地局に送信する物理層制御部を備えた移動局。
【請求項１２】
上位プロトコル層との間で、無線チャネルを介して移動局と送受信するデータの入出力を行う無線リンク制御部と、
上記無線リンク制御部との間で、論理チャネルを介して上記データの入出力を行うメディアアクセス制御部と、
上記メディアアクセス制御部との間で、トランスポートチャネルを介して上記データの入出力を行い、上記移動局との無線通信を制御する物理層制御部と、
上記無線リンク制御部、メディアアクセス制御部、及び物理層制御部との間で制御データの入出力を行う無線リソース制御部を備えた基地局において、
上記メディアアクセス制御部は、上記移動局からパケットデータ送信用チャネルによって送信されたデータに多重されている、基地局が上りリンク送信のスケジューリングに利用する報告情報を用いて、無線リソース割り当てを行うことを特徴とする基地局。
【請求項１３】
上位プロトコル層との間で、無線チャネルを介して送受信するデータの入出力を行う無線リンク制御部と、上記無線リンク制御部との間で、論理チャネルを介して上記データの入出力を行うメディアアクセス制御部と、上記メディアアクセス制御部との間で、トランスポートチャネルを介して上記データの入出力を行い、無線通信の制御を行う物理層制御部と、上記無線リンク制御部、メディアアクセス制御部、及び物理層制御部との間で制御データの入出力を行う無線リソース制御部を有する移動局と基地局を備えた通信システムにおいて、
上記移動局は、基地局が上りリンク送信のスケジューリングに利用する報告情報を、パケットデータ送信用チャネルに多重して基地局へ送信し、
上記基地局は、上記移動局から受信した、基地局が上りリンク送信のスケジューリングに利用する報告情報を用いて無線リソース割り当てを行うことを特徴とする通信システム。
【請求項１４】
上位プロトコル層との間で、無線チャネルを介して基地局と送受信するデータの入出力を行う無線リンク制御部と、上記無線リンク制御部との間で、論理チャネルを介して上記データの入出力を行うメディアアクセス制御部と、
上記メディアアクセス制御部との間で、トランスポートチャネルを介して上記データの入出力を行い、上記基地局との無線通信を制御する物理層制御部と、上記無線リンク制御部、メディアアクセス制御部、及び物理層制御部との間で制御データの入出力を行う無線リソース制御部を備えた移動局が、基地局が上りリンク送信のスケジューリングに利用する報告情報を、パケットデータ送信用チャネルに多重して基地局へ送信し、
基地局が上記移動局から受信した、基地局が上りリンク送信のスケジューリングに利用する報告情報を用いて無線リソース割り当てを行うことを特徴とする通信方法。
【請求項１５】
上位プロトコル層との間で、無線チャネルを介して基地局と送受信するデータの入出力を行う無線リンク制御部と、
上記無線リンク制御部との間で、論理チャネルを介して上記データの入出力を行うメディアアクセス制御部と、
上記メディアアクセス制御部との間で、トランスポートチャネルを介して上記データの入出力を行い、上記基地局との無線通信を制御する物理層制御部と、
上記無線リンク制御部、上記メディアアクセス制御部、及び上記物理層制御部との間で制御データの入出力を行う無線リソース制御部を備えた移動局において、
上記メディアアクセス制御部は、基地局に対するデータ量情報を、パケットデータ送信用チャネルに多重して基地局へ送信することを特徴とする移動局。